(57)【特許請求の範囲】
【請求項１】
画像を撮像する撮像手段と、
前記撮像手段により撮像された画像を表示する表示手段と、
前記撮像手段により撮像された画像から被写体を検出する検出手段と、
前記表示手段に前記撮像された画像を表示している際に、被写体の設定サイズを変更する操作を受け付け可能な第１の操作手段と、
動画記録中かつ前記表示手段に前記撮像された画像を表示している際に前記第１の操作手段に対する操作があっても前記設定サイズを変更せず、動画記録待機中または静止画撮影の前でかつ前記表示手段に前記撮像された画像を表示している際に前記第１の操作手段に対して行われた操作に基づいて前記設定サイズを変更する設定手段と、
前記検出手段で検出された被写体のサイズが、前記設定手段により設定された前記設定サイズに近づくように自動でズームを行うズーム制御手段と、を有することを特徴とする撮像装置。
【請求項２】
動画記録中であっても、前記ズーム制御手段は前記検出手段で検出された被写体のサイズが前記設定サイズに保持されるように、自動でズームを行うように制御することを特徴とする請求項１に記載の撮像装置。
【請求項３】
前記ズーム制御手段は、動画記録待機中または静止画撮影の前には、前記検出手段で被写体を検出したことに応じて前記自動でのズームを行い、動画記録中に前記検出手段で被写体を検出した場合は、当該検出から所定時間が経過した後に前記自動でのズームを行うように制御することを特徴とする請求項1に記載の撮像装置。
【請求項４】
前記設定手段は、動画記録中であっても、前記検出手段で被写体を検出して前記所定時間が経過するまでは、前記第１の操作手段に対する操作に応じて前記設定サイズを変更することを特徴とする請求項３に記載の撮像装置。
【請求項５】
前記検出手段が複数の被写体を検出した場合、前記設定手段により前記設定サイズを設定する被写体を選択可能な選択手段をさらに有し、
前記表示手段は、検出された被写体に識別可能な枠を表示し、
前記ズーム制御手段は、前記選択手段により選択された被写体のサイズが、前記設定手段により設定された前記設定サイズに近づくように自動でズームを制御することを特徴とする請求項１乃至４のいずれか１項に記載の撮像装置。
【請求項６】
前記ズーム制御手段は、前記検出手段により検出された被写体のサイズが前記設定手段により設定された前記サイズに近づくように自動でズームを行う第１のズーム制御と、前記撮像装置の動きに応じて一時的にズームアウトを行う第２のズーム制御を実行することが可能であることを特徴とする請求項１乃至５のいずれか１項に記載の撮像装置。
【請求項７】
前記ズーム制御手段は、前記第１のズーム制御を開始した後、前記撮像装置に所定の動きがあったことが検知されると前記第２のズーム制御を開始することを特徴とする請求項６に記載の撮像装置。
【請求項８】
ユーザ操作を受け付ける第２の操作手段をさらに有し、
前記第２の操作手段に対する第１の操作が検出されると、前記ズーム制御手段は、前記第１のズーム制御を開始することを特徴とする請求項６または７に記載の撮像装置。
【請求項９】
前記第２の操作手段に対する第２の操作が検出されると、前記ズーム制御手段は、一時的にズームアウトを行う制御を開始し、ズームアウトする前のズーム倍率に相当する範囲を表す枠の表示を行い、
前記第２の操作手段に対する第２の操作が検出されなくなるまで、ズームアウトおよび枠の表示を継続することを特徴とする請求項８に記載の撮像装置。
【請求項１０】
前記表示手段は、ユーザ操作に応じて、前記第１のズーム制御および前記第２のズーム制御に関する設定を行うための設定画面を表示することを特徴とする請求項６乃至９のいずれか１項に記載の撮像装置。
【請求項１１】
前記第１のズーム制御を開始した後、所定の操作を受け付け可能であり、
前記所定の操作は、録画開始または静止画撮影の指示であることを特徴とする請求項６乃至１０のいずれか１項に記載の撮像装置。
【請求項１２】
ユーザ操作によるズーム指示を受け付けるズーム指示手段をさらに有し、
前記第１のズーム制御を開始した後、前記ズーム指示を受け付けた場合、前記ズーム制御手段は、前記第１のズーム制御を中断して当該ズーム指示に応じたズームを行うことを特徴とする請求項６乃至１１のいずれか1項に記載の撮像装置。
【請求項１３】
前記第２のズーム制御を開始した後、ユーザ操作による所定の指示を受け付けた場合、当該所定の指示に応じた処理を行う処理手段をさらに有し、
前記所定の指示は、ズーム指示、前記第１のズーム制御を開始する指示、録画開始または静止画撮影の指示のいずれかであることを特徴とする請求項６乃至１２のいずれか１項に記載の撮像装置。
【請求項１４】
前記設定手段は、前記設定画面を介して被写体のサイズの設定が可能であり、
前記設定画面では、前記サイズの設定に加え、前記第１のズーム制御および前記第２のズーム制御を実行するか否かの設定が可能であることを特徴とする請求項１０に記載の撮像装置。
【請求項１５】
前記第１のズーム制御において、前記ズーム制御手段は、検出された被写体のサイズが前記設定手段により設定された前記設定サイズに近づくようにズームを行うと共に、前記被写体の位置が撮像された画像の周辺領域にある場合は前記設定サイズを周辺用のサイズに変更してズームを行うことを特徴とする請求項６乃至１４のいずれか１項に記載の撮像装置。
【請求項１６】
前記検出手段は、撮像された画像から人物の顔を検出可能であり、
前記設定手段は、人物の顔、上半身、および全身のいずれか、またはマニュアルによるサイズの設定が可能であることを特徴とする請求項１乃至１５のいずれか１項に記載の撮像装置。
【請求項１７】
撮像装置と通信可能な通信手段と、
前記通信手段を介して前記撮像装置の動作を制御する制御手段と、
前記通信手段を介して前記撮像装置から受信した画像を表示する表示手段と、
前記表示手段に前記画像を表示している際に、被写体の設定サイズを変更する操作を受け付け可能な第１の操作手段と、
動画記録中かつ前記表示手段に前記撮像装置から受信した画像を表示している際に前記第１の操作手段に対する操作があっても前記設定サイズを変更せず、動画記録待機中または静止画撮影の前でかつ前記表示手段に前記撮像装置から受信した画像を表示している際に前記第１の操作手段に対して行われた操作に基づいて前記設定サイズを変更する設定手段と、を有し、
前記制御手段は、前記画像から検出された被写体のサイズが、前記設定手段により設定された前記設定サイズに近づくように自動でズームを行うように前記撮像装置を制御することを特徴とする制御装置。
【請求項１８】
画像を撮像する撮像手段と、前記撮像手段により撮像された画像を表示する表示手段と、第１の操作手段と、を有する撮像装置の制御方法であって、
前記撮像手段により撮像された画像から被写体を検出する検出ステップと、
動画記録中かつ前記表示手段に前記撮像された画像を表示している際に前記第１の操作手段に対する操作があっても被写体の設定サイズを変更せず、動画記録待機中または静止画撮影の前でかつ前記表示手段に前記撮像された画像を表示している際に前記第１の操作手段に対して行われた操作に基づいて前記設定サイズを変更する設定ステップと、
前記検出ステップで検出された被写体のサイズが、前記設定ステップで設定された前記設定サイズに近づくように自動でズームを行うズーム制御ステップと、を有することを特徴とする撮像装置の制御方法。
【請求項１９】
撮像装置と通信可能な通信手段を有し、前記通信手段を介して前記撮像装置の動作を制御する制御装置の制御方法であって、
前記通信手段を介して前記撮像装置から受信した画像を表示する表示ステップと、
動画記録中かつ前記表示ステップで前記撮像装置から受信した画像を表示している際に第１の操作手段に対する操作があっても被写体の設定サイズを変更せず、動画記録待機中または静止画撮影の前でかつ前記表示ステップで前記撮像装置から受信した画像を表示している際に前記第１の操作手段に対して行われた操作に基づいて前記設定サイズを変更する設定ステップと、
前記画像から検出された被写体のサイズが、前記設定ステップで設定された前記設定サイズに近づくように自動でズームを行うように前記撮像装置を制御するズーム制御ステップと、を有することを特徴とする制御方法。
【請求項２０】
コンピュータを、請求項１乃至１６のいずれか１項に記載された撮像装置の各手段として機能させるためのプログラム。
【請求項２１】
コンピュータを、請求項１乃至１６のいずれか１項に記載された撮像装置の各手段として機能させるためのプログラムを格納したコンピュータが読み取り可能な記憶媒体。
【請求項２２】
コンピュータを、請求項１７に記載された制御装置の各手段として機能させるためのプログラム。
【請求項２３】
コンピュータを、請求項１７に記載された制御装置の各手段として機能させるためのプログラムを格納したコンピュータが読み取り可能な記憶媒体。
【発明の詳細な説明】
【技術分野】
【０００１】
本発明は、撮像装置のズームを制御する技術に関する。
【背景技術】
【０００２】
近年、携帯電話、デジタルカメラ、ゲーム機など、動画の撮影を行える撮像装置を備えた電子機器が増えている。これらの撮像装置には、ユーザが所望の画角、倍率で動画の撮影を行えるよう、光学的な、あるいは画像のトリミングによる電子的なズーム機能が搭載されている。
【０００３】
このようなズーム機能は、一般的にはユーザが望む画角や構図に合わせて手動でズーム操作を行うことにより実現されるが、撮影シーンによってはユーザ操作が間に合わずに、被写体が画角から外れてしまうこともある。また、装置の操作に不慣れなユーザにとっては、ズーム操作を行うこと自体が難易度の高いものであり、適切な操作を行えないこともある。そのため、ユーザが適切な画角での撮影機会を逃してしまう可能性がある。
【０００４】
このような背景に鑑み、特許文献１には、画面内に収める被写体のサイズをユーザが予めメニュー画面で選択でき、ライブビュー画面に移行したときに、予め設定されたズーム倍率に被写体のサイズを自動的に調整するオートズーム機能が開示されている。また、特許文献２には、ライブビュー画像中の一人または複数人の被写体を選択することで、選択された全ての被写体を画角内に収めるように自動でズームを調整するオートズーム機能が開示されている。
【０００５】
このように撮像装置側が自動でズームを行い、適切な構図に調整してくれるオートズーム機能は、特に撮影機会の損失を防ぐ意味で重要である。
【先行技術文献】
【特許文献】
【０００６】
【特許文献１】特開２００８−２１１４８５号公報
【特許文献２】特開２０１３−０７４４５４号公報
【発明の概要】
【発明が解決しようとする課題】
【０００７】
しかしながら、上記特許文献１では、ユーザがライブビュー画像で構図を確認しながら被写体のサイズを設定することができないため、実際の画像から受ける印象を把握できない。また、メニュー画面で被写体のサイズを選択しても、即座にズームが開始されないと、撮影機会を逃してしまうおそれがある。さらに、上記特許文献２では、ユーザが被写体をどの程度のサイズで画角内に収めるかを設定することができない。
【０００８】
本発明は、適切な構図での撮影が可能な撮像装置を実現することを目的とする。
【課題を解決するための手段】
【０００９】
上記目的を達成するために、本発明の撮像装置は、画像を撮像する撮像手段と、前記撮像手段により撮像された画像を表示する表示手段と、前記撮像手段により撮像された画像から被写体を検出する検出手段と、前記表示手段に前記撮像された画像を表示している際に、被写体の設定サイズを変更する操作を受け付け可能な第１の操作手段と、動画記録中かつ前記表示手段に前記撮像された画像を表示している際に前記第１の操作手段に対する操作があっても前記設定サイズを変更せず、動画記録待機中または静止画撮影の前でかつ前記表示手段に前記撮像された画像を表示している際に前記第１の操作手段に対して行われた操作に基づいて前記設定サイズを変更する設定手段と、前記検出手段で検出された被写体のサイズが、前記設定手段により設定された前記設定サイズに近づくように自動でズームを行うズーム制御手段と、を有する。
【発明の効果】
【００１０】
本発明によれば、適切な構図での撮影が可能な撮像装置を実現することができる。
【図面の簡単な説明】
【００１１】
【図１】本実施形態の撮像装置の背面（ａ）および前面（ｂ）の外観図。
【図２】本実施形態の撮像装置の構成を示すブロック図。
【図３】本実施形態の撮像装置による撮影モード処理を示すフローチャート。
【図４】図３のメニュー画面処理を示すフローチャート。
【図５】図３のＦＡオートモード処理を示すフローチャート。
【図６】図５の所定操作対応処理を示すフローチャート。
【図７】図５のＦＡオート中手動ズーム処理を示すフローチャート。
【図８】図５のサーチアシスト処理を示すフローチャート。
【図９】本実施形態の撮影モード処理における表示画面を例示する図。
【発明を実施するための形態】
【００１２】
以下に、本発明の撮像装置を、オートズーム機能を備え、静止画や動画を撮影可能なデジタルカメラに適用した実施の形態について、添付図面を参照して詳細に説明する。
【００１３】
ここで、本実施形態のオートズーム機能の１つとしてフレーミングアシスト機能の概要について説明する。
【００１４】
フレーミングアシスト（以下、ＦＡと略称することもある）機能は、画面内の被写体のサイズの比率が略一定に保つように自動で光学ズームや電子ズームを制御する機能である。
【００１５】
そして、本実施形態のフレーミングアシスト機能は、以下の特徴的なズーム制御機能を備えている。
【００１６】
１つはフレーミングアシストオート機能（以下、ＦＡオート）である。ＦＡオートは、（１）撮像された画像から被写体（顔）を検知し、その被写体の画角内に占める割合が指定されたサイズとなるように自動でズーム倍率を制御するオートズーム機能と、（２）カメラが動いたことを検知して自動でズームアウトするサーチアシスト機能と、を有する。
【００１７】
もう１つは一時ズームアウト機能である。一時ズームアウト機能とは、ズーム倍率がＴＥＬＥ側に設定されていて、ユーザが被写体を見失った場合などに、ユーザが専用のフレーミングアシストボタン（以下、ＦＡボタン）を一定時間以上押下し続けると、一時的にズーム倍率をＷＩＤＥ側に変更する機能である。これにより、ユーザは見失った被写体を探しやすくなる。また、被写体を見つけた場合には、画面中央に表示される枠内に被写体を収めてＦＡボタンを離すと、自動的に元のＴＥＬＥ側の倍率までズーム倍率が変更される。ＦＡボタンは、ズーム操作を行う操作手段であるため、直感的な操作感を提供するため、ズームレンズのあるレンズ鏡筒周りに配置されている。
【００１８】
＜装置構成＞図１及び図２を参照して、本実施形態のデジタルカメラの機能及び外観について説明する。
【００１９】
本実施形態のデジタルカメラ１００の外観を示す図１において、表示部１０１は画像や各種情報を表示する液晶表示パネル（ＬＣＤ）等からなる。シャッターボタン１０２は撮影指示を行うための操作部である。モード切替ボタン１０３は各種モードを切り替えるための操作部である。コネクタ１０７は接続ケーブル１０８とデジタルカメラ１００とを接続するインターフェースである。操作部１０４はユーザからの各種操作を受け付ける各種スイッチ、ボタン、タッチパネル等の操作部材からなる操作部である。コントローラホイール１０６は操作部１０４に含まれる回転可能な電子ダイヤルである。電源スイッチ１０５は電源のオン、オフを切り替える操作部である。記録媒体１０９はメモリカードやハードディスク等の記録媒体である。記録媒体スロット１１０は記録媒体１０９を格納するためのスロットである。記録媒体スロット１１０に格納された記録媒体１０９は、デジタルカメラ１００との通信が可能となる。蓋１１１は記録媒体スロット１１０の蓋である。ズームレバー１１２は、ユーザが撮影レンズ２０３のズーム動作を指示する左右に可動なズーム指示部材であり、一方の方向に動かすとＴＥＬＥ側、他方の方向に動かすとＷＩＤＥ側に撮影レンズ２０３を駆動できる。なお、上下左右の４方向ボタンの左右などをズームボタンとして割り当てても良い。
【００２０】
操作部１０４は、図１（ｂ）に示すように、デジタルカメラ１００の正面側にも配置され得る。操作部１０４に含まれるＦＡボタン１０４ａは、上述したＦＡオートまたは一時ズームアウト機能の動作を指示する操作部である。ＦＡボタン１０４ａは、図１（ｂ）に示すように、デジタルカメラ１００の正面側のレンズ鏡筒３００の側面部に配置され、撮影の際にユーザがレンズ鏡筒３００を手で支持しながら（レンズ鏡筒３００から手を離さずに）操作可能である。ＦＡボタン１０４ａを長押しすると、一時ズームアウト機能によりズーム倍率が一時的にＷＩＤＥ側に変更され、見失った被写体を素早く探すことが可能になり、ＦＡボタン１０４ａを離すと直前のズーム倍率に戻り、すぐに撮影を継続することができる。また、ＦＡボタン１０４ａを短押しすると、被写体の顔に追尾枠を表示し、画面内の被写体の顔の大きさが予め設定された目標サイズになるようにズーム倍率が自動で変更され、再度ＦＡボタン１０４ａを短押しすると、直前のズーム倍率に戻る。
【００２１】
本実施形態のデジタルカメラ１００の内部構成を示す図２において、撮影レンズ２０３はズームレンズ、フォーカスレンズを含むレンズ群である。シャッター２０４は絞り機能を備える。撮像部２０５は被写体の光学像を電気信号に変換するＣＣＤやＣＭＯＳ等で構成される撮像素子である。Ａ／Ｄ変換器２０６は、アナログ信号をデジタル信号に変換する。Ａ／Ｄ変換器２０６は、撮像部２０５から出力されるアナログ信号をデジタル信号に変換するために用いられる。バリア２０２は、デジタルカメラ１００の、撮影レンズ２０３を含む撮像系を覆うことにより、撮影レンズ２０３、シャッター２０４、撮像部２０５を含む撮像系の汚れや破損を防止する。
【００２２】
レンズ駆動部２０３ａは、例えばＤＣモータや超音波モータを備え、システム制御部２０１からの制御信号に基づいてフォーカスレンズを合焦位置まで駆動する。また、レンズ駆動部２０３ａは、システム制御部２０１からの制御信号に基づいてズームレンズをズーム位置まで駆動する。
【００２３】
画像処理部２０７は、Ａ／Ｄ変換器２０６からのデータ、又は、メモリ制御部２０９からのデータに対し所定の画素補間、縮小といったリサイズ処理や色変換処理を行う。また、画像処理部２０７では、撮像した画像データを用いて所定の演算処理が行われ、得られた演算結果に基づいてシステム制御部２０１が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２０７ではさらに、撮像した画像データを用いて所定の演算処理を行い、得られた演算結果に基づいてＴＴＬ方式のＡＷＢ（オートホワイトバランス）処理も行っている。
【００２４】
Ａ／Ｄ変換器２０６からの出力データは、画像処理部２０７及びメモリ制御部２０９を介して、或いは、メモリ制御部２０９を介してメモリ２１０に直接書き込まれる。メモリ２１０は、撮像部２０５によって得られ、Ａ／Ｄ変換器２０６によりデジタルデータに変換された画像データや、表示部１０１に表示するための画像データを格納する。メモリ２１０は、所定枚数の静止画や所定時間の動画および音声を格納するのに十分な記憶容量を備えている。
【００２５】
また、メモリ２１０は画像表示用のメモリ（ビデオメモリ）を兼ねている。Ｄ／Ａ変換器２０８は、メモリ２１０に格納されている画像表示用のデータをアナログ信号に変換して表示部１０１に供給する。こうして、メモリ２１０に書き込まれた表示用の画像データはＤ／Ａ変換器２０８を介して表示部１０１により表示される。表示部１０１は、ＬＣＤ等の表示器上に、Ｄ／Ａ変換器２０８からのアナログ信号に応じた表示を行う。Ａ／Ｄ変換器２０６によって一旦Ａ／Ｄ変換され、メモリ２１０に蓄積されたデジタル信号をＤ／Ａ変換器２０８においてアナログ変換し、表示部１０１に逐次転送して表示することで、電子ビューファインダとして機能し、ライブビュー画像（スルー画像ともいう）の表示を行える。
【００２６】
不揮発性メモリ２１３は、電気的に消去・記録可能なメモリであり、例えばＥＥＰＲＯＭ等が用いられる。不揮発性メモリ２１３には、システム制御部２０１の動作用の定数、プログラム等が記憶される。ここでいう、プログラムとは、本実施形態にて後述する各種フローチャートを実行するためのプログラムのことである。
【００２７】
システム制御部２０１は、デジタルカメラ１００全体を制御する。前述した不揮発性メモリ２１３に記録されたプログラムを実行することで、後述する本実施形態の各処理を実現する。２１２はシステムメモリであり、ＲＡＭが用いられる。システムメモリ２１２には、システム制御部２０１の動作用の定数、変数、不揮発性メモリ２１３から読み込んだプログラム等を展開する。また、システム制御部２０１はメモリ２１０、Ｄ／Ａ変換器２０８、表示部１０１等を制御することにより表示制御も行う。
【００２８】
システムタイマー２１１は各種制御に用いる時間や、内蔵された時計の時間を計測する計時部である。
【００２９】
モード切替ボタン１０３、第１シャッタースイッチ１０２ａ、第２シャッタースイッチ１０２ｂ、操作部１０４はシステム制御部２０１に各種の動作指示を入力するための操作手段である。
【００３０】
モード切替ボタン１０３は、システム制御部２０１の動作モードを静止画撮影モード、動画記録モード、再生モードなどのいずれかに切り替える。静止画記録モードに含まれるモードとして、オートモード、オートシーン判別モード、マニュアルモード、シーン別撮影モード、プログラムＡＥモード、カスタムモードなどがある。モード切替ボタン１０３で、静止画撮影モードに含まれるこれらのモードのいずれかに直接切り替えられる。あるいは、モード切替ボタン１０３で静止画撮影モードに一旦切り替えた後に、静止画撮影モードに含まれるこれらのモードのいずれかに、他の操作部材を用いて切り替えるようにしても良い。同様に、動画記録モードにも複数のモードが含まれていても良い。
【００３１】
第１シャッタースイッチ１０２ａは、デジタルカメラ１００に設けられたシャッターボタン１０２の操作途中、いわゆる半押し（撮影準備指示）でオンとなり第１シャッタースイッチ信号ＳＷ１を発生する。第１シャッタースイッチ信号ＳＷ１により、ＡＦ処理、ＡＥ処理、ＡＷＢ処理、ＥＦ処理等の動作を開始する。
【００３２】
第２シャッタースイッチ１０２ｂは、シャッターボタン１０２の操作完了、いわゆる全押し（撮影指示）でオンとなり、第２シャッタースイッチ信号ＳＷ２を発生する。システム制御部２０１は、第２シャッタースイッチ信号ＳＷ２により、撮像部２０５からの信号読み出しから記録媒体１０９に画像データを書き込むまでの一連の撮影処理の動作を開始する。
【００３３】
操作部１０４の各操作部材は、表示部１０１に表示される種々の機能アイコンを選択操作することなどにより、シーンごとに適宜機能が割り当てられ、各種機能ボタンとして作用する。機能ボタンとしては、例えば終了ボタン、戻るボタン、画像送りボタン、ジャンプボタン、絞込みボタン、属性変更ボタンなどがある。例えば、メニューボタンが押されると各種の設定可能なメニュー画面が表示部１０１に表示される。ユーザは、表示部１０１に表示されたメニュー画面と、上下左右の４方向ボタンやＳＥＴボタンとを用いて直感的に各種設定を行うことができる。
【００３４】
なお、操作部１０４の１つとして、表示部１０１に対する接触を検知可能なタッチパネルを有する。タッチパネルと表示部１０１とは一体的に構成することができる。例えば、タッチパネルを光の透過率が表示部１０１の表示を妨げないように構成し、表示部１０１の表示面の上層に取り付ける。そして、タッチパネルにおける入力座標と、表示部１０１上の表示座標とを対応付ける。これにより、あたかもユーザが表示部１０１上に表示された画面を直接的に操作可能であるかのようなＧＵＩを構成することができる。
【００３５】
コントローラホイール１０６は、操作部１０４に含まれる回転操作可能な操作部材であり、方向ボタンと共に選択項目を指示する際などに使用される。コントローラホイール１０６を回転操作すると、操作量に応じて電気的なパルス信号が発生し、このパルス信号に基づいてシステム制御部２０１はデジタルカメラ１００の各部を制御する。このパルス信号によって、コントローラホイール１０６が回転操作された角度や、何回転したかなどを判定することができる。なお、コントローラホイール１０６は回転操作が検出できる操作部材であればどのようなものでも良い。例えば、ユーザの回転操作に応じてコントローラホイール１０６自体が回転してパルス信号を発生するダイヤル操作部材であっても良い。また、タッチセンサよりなる操作部材で、コントローラホイール１０６自体は回転せず、コントローラホイール１０６上でのユーザの指の回転動作などを検出するものであっても良い（いわゆる、タッチホイール）。
【００３６】
電源制御部２１４は、電池検出回路、ＤＣ−ＤＣコンバータ、通電するブロックを切り替えるスイッチ回路等により構成され、電池の装着の有無、電池の種類、電池残量の検出を行う。また、電源制御部２１４は、その検出結果及びシステム制御部２０１の指示に基づいてＤＣ−ＤＣコンバータを制御し、必要な電圧を必要な期間、記録媒体１０９を含む各部へ供給する。
【００３７】
電源部２１５は、アルカリ電池やリチウム電池等の一次電池やＮｉＣｄ電池やＮｉＭＨ電池、リチウムイオン電池等の二次電池、ＡＣアダプタ等からなる。記録媒体Ｉ／Ｆ２１６は、メモリカードやハードディスク等の記録媒体１０９とのインターフェースである。記録媒体１０９は、撮影された画像を記録するためのメモリカード等の記録媒体であり、半導体メモリや磁気ディスク等から構成される。
【００３８】
振動検知部２１７は、加速度センサやジャイロセンサなどから構成され、デジタルカメラ１００に加えられた振動を検知する。これによって、デジタルカメラ１００がパンされたことやチルトされたことなどが判別できる。
【００３９】
本実施形態のデジタルカメラ１００では中央１点ＡＦや顔ＡＦなどのＡＦ方式を用いた撮影が可能である。中央１点ＡＦとは撮影画面内の中央位置１点に対してＡＦを行うことである。顔ＡＦとは顔検出機能によって検出された撮影画面内の顔に対してＡＦを行うことである。
【００４０】
ここで、顔検出機能について説明する。
【００４１】
システム制御部２０１は、メモリ２１０に保持されている画像データ（ライブビュー画像を含む）を読み出し、水平方向および垂直方向のバンドパスフィルタをかけ、エッジ成分を検出する。次に、システム制御部２０１は、検出されたエッジ成分のパターンマッチングを行い、目及び鼻、口、耳の候補群を抽出する。さらに、システム制御部２０１は、パターンマッチングにより抽出された目の候補群の中から、予め設定された条件（例えば２つの目の距離、傾き等）を満たすものを、目の対と判断し、目の対があるもののみを目の候補群として絞り込む。そして、システム制御部２０１は、絞り込まれた目の候補群とそれに対応する顔を形成する他のパーツ（鼻、口、耳）を対応付ける。また、予め設定された非顔条件フィルタを通すことで顔を検出し、検出結果に応じて顔の特徴情報を生成しシステムメモリ２１２に記憶する。なお、検出された顔をユーザに通知するために、例えば顔の位置座標やサイズに応じて、表示部１０１に顔枠などを画像と重ね合わせて表示することも可能である。
【００４２】
以上のように、ライブビュー画像あるいは再生される画像データを解析して、画像中の被写体の特徴情報を抽出することが可能である。本実施形態では被写体の特徴情報として顔情報を例に挙げたが、これ以外に赤目判定や目の検出、目つむり検出、笑顔検出などの様々な情報がある。
【００４３】
なお、顔ＡＦと同時に顔ＡＥ、顔ＦＥ、顔ＷＢを行うことができる。顔ＡＥとは検出された顔の明るさに合わせて、画面全体の露出を最適化することである。顔ＦＥとは検出された顔を中心にフラッシュの調光をすることである。顔ＷＢとは、検出された顔の色に合わせて画面全体のホワイトバランスを最適化することである。
【００４４】
なお、ハードウェアの構成は図２に示すものに限定されず、例えば１つのハードウェアが表示制御、通信制御、記録制御、画像処理制御などを行い、デジタルカメラ１００の各手段として機能しても良い。また、複数のハードウェアが協働して１つの手段として機能しても良い。
【００４５】
デジタルカメラ１００は、少なくとも画像を再生するための再生モードと、撮影を行うための撮影モードとで、切り替えて使用することができる。撮影モードとしては、オートモードやマニュアルモード、クリエイティブショットモード、複数のシーン別撮影モードを備えている。オートモードは、カメラの各種パラメータが、計測された露出値に基づいてデジタルカメラ１００に組み込まれたプログラムにより自動的に決定されるモードである。マニュアルモードは、カメラの各種パラメータをユーザが自由に変更可能なモードである。クリエイティブショットモードは、カメラが自動でシーンを識別し、撮影された画像に自動で「構図」、「色／光」、「ボケ味」などの画像処理（フィルタ処理）を施して複数種類の画像（オリジナル画像を含む）を生成するモードである。クリエイティブショットモードでは、例えば、１度の撮影指示で３回撮影を行い、１枚のオリジナル画像に加え、「構図」、「色／光」、「ボケ味」の異なる５枚の画像を生成する。シーン別撮影モード（ＳＣＮ）は、撮影シーン別にその撮影シーンに適したシャッター速度や絞り値、ストロボ発光状態、感度設定、ホワイトバランス（ＷＢ）設定等を組み合わせることによって実現されるモードである。デジタルカメラ１００は、例えば、以下に記す（１）〜（２０）のシーン別撮影モードを備えている。但し、これらのシーン別撮影モードに限定されるものではない。
（１）水上撮影モード（ビーチモード）：太陽光の反射の強い海面や砂浜でも、人物などが暗くならずに撮影可能なモード
（２）夜景撮影モード：人物にストロボ光をあて、背景を遅いシャッター速度で記録する、夜景シーンに特化したモード
（３）打ち上げ花火撮影モード：打ち上げ花火を最適な露出で鮮やかに撮影するためのモード
（４）水中撮影モード：水中撮影に最適なホワイトバランスに設定し、青みを押さえた色合いで撮影するモード
（５）夕焼け撮影モード：シルエットを強調し、赤を強調して撮影するモード
（６）ポートレート撮影モード：背景をぼかして人物を浮き立たせるようにして人物撮影に特化したモード
（７）スポーツ撮影モード：動きの早い被写体をとるのに特化した設定とする撮影モード
（８）スノー撮影モード：雪景色をバックにしても人物が暗くならず、青みも残さず撮影するモード
（９）ナイト＆スナップ撮影モード：三脚なしで夜景と人物をきれいに撮るのに適したモード
（１０）スポットライト撮影モード：スポットライトが当たった被写体をきれいに撮るモード
（１１）水族館モード：屋内の水槽内の魚などを撮影するのに適した感度、ホワイトバランス、色味を設定するモード
（１２）水中モード：水中に最適なホワイトバランスに設定し、青みを押さえた色合いで撮影するモード
（１３）物撮り撮影モード：マクロモードに設定し、コントラストを高めに設定するモード
（１４）花撮影モード：マクロモードに設定し、彩度も高めに設定するモード
（１５）料理撮影モード：マクロモードに設定、彩度を高めに設定、フラッシュ非発光に設定するモード
（１６）自撮り（自分撮り）モード：ポートレートなどと同様、人物撮影に特化したパラメータ設定となり、さらに撮影者が自分自身を被写体として撮影しやすいようなユーザインタフェースを備えたモード
（１７）星空スナップモード：星空と人物を一緒に撮影するモード
（１８）星空夜景モード：星空を簡単に撮影可能なモード
（１９）星空軌跡モード：インターバル撮影における各撮影において長秒連続撮影した画像を合成することで日周運動に伴った星の軌跡を記録するモード
（２０）星空インターバル動画モード：所定間隔をおいて撮影した静止画を動画ファイルにすることで早送り動画を作成するモード
撮影者は、撮影モード選択メニューからデジタルカメラ１００を所望の撮影モードに設定して撮影を行うことができる。
【００４６】
＜撮影モード処理＞次に、図３を参照して、本実施形態のデジタルカメラによる撮影モード処理について説明する。
【００４７】
なお、図３の処理は、不揮発性メモリ２１３に記録されたプログラムを、システムメモリ２１２に読み出してシステム制御部２０１が実行することにより実現する。
【００４８】
Ｓ３０１では、システム制御部２０１は、撮影モードを開始するための初期化処理として、フラグや制御変数等の初期化を行う。
【００４９】
Ｓ３０２では、システム制御部２０１は、表示部１０１に、撮像部２０５により撮像されたライブビュー画像の表示を行う。
【００５０】
Ｓ３０３では、システム制御部２０１は、表示部１０１に、ＡＦ方式に基づくＡＦ枠や、その他の撮影パラメータやＯＳＤなどをライブビュー画像に重畳して表示を行う。
【００５１】
図９（ａ）は、ＡＦ方式が顔ＡＦであった場合のライブビュー画面を例示している。図９（ａ）において、表示部１０１には、ライブビュー画像９０２に重畳して、ＯＳＤ（表示アイテム）として現在の撮影モード、電池残量、撮影可能な枚数・時間等を示すアイコン９０１が画面上部に表示され、撮影パラメータなどを示すアイコン９０５が画面下部に表示される。顔ＡＦモードで被写体が検知された場合には、被写体９０４の顔の周囲に一重顔枠９０３が表示される。
【００５２】
Ｓ３０４では、システム制御部２０１は、操作部１０４に含まれるメニューボタンが押下されたか判定し、押下された場合はＳ３０５へ進み、押下されない場合はＳ３０６へ進む。
【００５３】
Ｓ３０５では、システム制御部２０１は、メニュー画面処理を行う。メニュー画面処理の詳細は、図４にて後述する。メニュー画面処理が終了すると、Ｓ３０２へ戻る。
【００５４】
Ｓ３０６では、システム制御部２０１は、操作部１０４に含まれるＦＡボタン１０４ａが短押しされたか（ボタンが押されてから離されるまでの経過時間が所定時間未満であるか）を判定する。判定の結果、ＦＡボタン１０４ａの短い押下が行われた場合には、Ｓ３０７へ進み、短い押下が行われない場合にはＳ３０９へ進む。
【００５５】
Ｓ３０７では、システム制御部２０１は、図４で後述するメニュー画面処理において設定可能なオートズームおよびサーチアシストの設定値がいずれも切であるか判定する。判定の結果、いずれも切である場合はＳ３０９へ進み、そうでない場合はＳ３０８へ進む。
【００５６】
Ｓ３０８では、システム制御部２０１は、ＦＡオートモード処理を行う。ＦＡオートモード処理の詳細は図５にて後述する。ＦＡオートモード処理が終了すると、Ｓ３０２へ戻る。
【００５７】
Ｓ３０９では、システム制御部２０１は、ＦＡボタン１０４ａが長く押下されているか（ボタンが押下された状態で経過した時間が所定時間以上であるか）判定する。判定の結果、ＦＡボタン１０４ａが長押しされている場合にはＳ３１０へ進み、長押しされていない場合にはＳ３１２へ進む。
【００５８】
Ｓ３１０では、システム制御部２０１は、撮影レンズ２０３を制御して、所定量ズームアウトさせる（一時ズームアウト機能）。また、システム制御部２０１は、表示部１０１に、Ｓ３１０でズームアウトする前のズーム倍率に相当する範囲を表すＦＡ枠の表示を行う。
【００５９】
Ｓ３１１では、システム制御部２０１は、Ｓ３０９で押下されたＦＡボタン１０４ａが離されるまでＳ３１０のズームアウトおよびＦＡ枠の表示を継続し、ＦＡボタン１０４ａが離されると、ズームアウト前のズーム倍率までズームインしてＳ３０２へ戻る。
【００６０】
Ｓ３１２では、システム制御部２０１は、操作部１０４に含まれる録画開始ボタンが押下されたか判定し、押下された場合にはＳ３１３へ進み、押下されない場合にはＳ３１４へ進む。
【００６１】
Ｓ３１３では、システム制御部２０１は、動画記録処理を行い、処理が終了すると、Ｓ３０２へ戻る。
【００６２】
Ｓ３１４では、システム制御部２０１は、シャッターボタン１０２が半押しされて第１シャッタースイッチ信号ＳＷ１がオンとなったか判定し、オンの場合はＳ３１５へ進み、そうでない場合はＳ３１９へ進む。
【００６３】
Ｓ３１５では、システム制御部２０１は、撮像部２０５により撮像された画像データによりＡＦ処理、ＡＥ処理を行い、Ｓ３１６へ進む。
【００６４】
Ｓ３１６では、システム制御部２０１は、シャッターボタン１０２が全押しされて第２シャッタースイッチ信号ＳＷ２がオンとなったか判定し、オンの場合はＳ３１７へ進み、そうでない場合はＳ３１８へ進む。
【００６５】
Ｓ３１７では、システム制御部２０１は、撮像部２０５からの信号読み出しから記録媒体１０９に画像データを書き込むまでの一連の撮影処理を行い、処理が終了するとＳ３０２へ戻る。
【００６６】
Ｓ３１８では、システム制御部２０１は、シャッターボタン１０２が半押しされて第１シャッタースイッチ信号ＳＷ１がオンとなったか判定し、オンが継続している場合はＳ３１６に戻り、オンでなくなった場合はＳ３０２に戻る。
【００６７】
Ｓ３１９では、システム制御部２０１は、その他の操作がなされたか判定し、その他の操作がなされた場合はＳ３２０へ進み、なされていない場合はＳ３２１へ進む。
【００６８】
Ｓ３２０では、システム制御部２０１は、Ｓ３１９でなされたその他の操作に応じた処理を実行する。その他の操作に応じた処理には、例えば、操作部材の操作中は手ブレ補正を通常よりも強くかける処理、各種撮影パラメータの設定変更処理、また表示部１０１がチルト式で可動域を持つ場合には、その姿勢に応じて表示を切り替る処理などが含まれる。
【００６９】
Ｓ３２１では、システム制御部２０１は、終了操作がなされたか判定し、終了操作がなされた場合は本処理を終了し、そうでない場合はＳ３０２へ戻る。ここでの終了操作は、例えばモード切替ボタン１０３によって再生モードへ切り替えられた場合や、電源スイッチ１０５によって電源がオフにされた場合などである。
【００７０】
＜撮影モード処理＞次に、図４を参照して、図３のＳ３０５におけるメニュー画面処理について説明する。
【００７１】
Ｓ４０１では、システム制御部２０１は、表示部１０１にメニュー画面を表示するための初期化処理として、フラグや制御変数などの初期化を行う。また、システム制御部２０１は、後述するＦＡオートモード処理が実行中である場合には停止する。具体的には、メニュー画面処理を開始したときにはＦＡオートモード処理が必ずオフの状態となるようにフラグや制御変数などの初期化を行う。
【００７２】
Ｓ４０２では、システム制御部２０１は、表示部１０１にメニュー画面の第１階層を表示する。
【００７３】
図９（ｂ）はメニュー画面の第１階層の設定画面を例示している。図９（ｂ）において、表示部１０１には、メニュー項目９１１、カーソル９１２、カーソル９１２が当っているメニュー項目の説明文を表示するガイダンス９１３が表示される。
【００７４】
Ｓ４０３では、システム制御部２０１は、操作部１０４に含まれる上下左右の４方向ボタンによりカーソル移動操作がなされたか判定し、操作がなされた場合はＳ４０４へ進み、操作がされない場合はＳ４０５へ進む。
【００７５】
Ｓ４０４では、システム制御部２０１は、表示部１０１に表示されたカーソル９１２の位置を、Ｓ４０３のカーソル移動操作に応じて変更して表示する。
【００７６】
Ｓ４０５では、システム制御部２０１は、操作部１０４に含まれるＳＥＴボタンが押下されたか判定し、押下された場合はＳ４０６へ進み、押下されない場合はＳ４１６へ進む。
【００７７】
Ｓ４０６では、システム制御部２０１は、表示部１０１に表示されたカーソル９１２の位置がＦＡオート詳細設定であるか判定し、ＦＡオート詳細設定である場合はＳ４０７へ進み、そうでない場合はＳ４１５へ進む。
【００７８】
Ｓ４０７では、システム制御部２０１は、表示部１０１にメニュー画面の第２階層（ＦＡオート詳細設定画面）を表示する。
【００７９】
図９（ｃ）はＦＡオート詳細設定画面を例示している。図９（ｃ）において、表示部１０１には、メニュー項目の１つであるサーチアシストの項目９２１（本例ではカーソルが当たって色が変わっている）、オートズームの項目９２２、カーソルが当っているメニュー項目の説明文を表示するガイダンス９２３、メニュー画面の第１階層へ戻るための機能情報を示すナビアイコン９２４が表示される。
【００８０】
Ｓ４０８、Ｓ４０９は、Ｓ４０３、Ｓ４０４と同様である。
【００８１】
Ｓ４１０では、システム制御部２０１は、操作部１０４に含まれる左右ボタンが押下されたか判定し、押下された場合はＳ４１１へ進み、押下されない場合はＳ４１４へ進む。
【００８２】
Ｓ４１１では、システム制御部２０１は、表示部１０１に表示されたカーソル９１２の位置がサーチアシストの項目９２１であるか判定する。判定の結果、サーチアシストの項目９２１の場合はＳ４１２へ進み、そうでない場合（つまり、オートズームの項目９２２の場合）はＳ４１３へ進む。
【００８３】
Ｓ４１２では、システム制御部２０１は、左右ボタンの押下に応じて、後述するサーチアシスト機能を「入」または「切」のいずれかに切り替える。
【００８４】
Ｓ４１３では、システム制御部２０１は、左右ボタンの押下に応じて、後述するオートズームの設定値を変更する。オートズームの設定値には、機能自体を使用不可にする「切」の設定値の他に、後述するＦＡオートモード処理中の被写体の目標サイズとして、「顔」、「上半身」、「全身」、「マニュアル」を設定可能である。すなわち、Ｓ４１３では、左右ボタンの押下に応じて、オートズームの設定値を、「切」、「顔」、「上半身」、「全身」、「マニュアル」のいずれかに設定する。なお、「顔」、「上半身」、「全身」、「マニュアル」（すなわち、「切」以外）を「入」と総称する。
【００８５】
Ｓ４１４では、システム制御部２０１は、操作部１０４に含まれるメニューボタンが押下されたか判定し、押下された場合はＳ４０２に戻り、メニュー画面の第１階層を表示し、押下されない場合はＳ４０８へ戻る。
【００８６】
＜ＦＡオートモード処理＞次に、図５を参照して、図３のＳ３０８におけるＦＡオートモード処理について説明する。
【００８７】
Ｓ５０１では、システム制御部２０１は、ＦＡオートモード処理を行うための初期化処理を行う。具体的には、中央１点ＡＦに設定されていた場合でも、ＦＡオートモード処理に移行した時点で顔ＡＦに切り替える。また図３のＳ３０３で表示部１０１に表示された撮影情報表示のうち、画面を大きく覆う情報（ヒストグラムなど）が表示されていた場合は、これを非表示とする。
【００８８】
Ｓ５０２では、システム制御部２０１は、表示部１０１に、ＦＡオートモード処理が実行中であることを示すＦＡオートモードアイコンを表示する。
【００８９】
Ｓ５０３では、システム制御部２０１は、図４のメニュー画面処理にてオートズームの設定値が「入」である（「切」以外である、つまり「顔」、「上半身」、「全身」、「マニュアル」のいずれかである）か判定する。判定の結果、「入」の場合はＳ５０４へ進み、そうでない場合はＳ５２８へ進む。
【００９０】
Ｓ５０４では、システム制御部２０１は、表示部１０１に、被写体の目標サイズ変更ダイアログを表示する。このサイズ変更ダイアログの設定値は、図４のメニュー画面処理におけるオートズームの設定値に連動しており、後述する所定の指定操作でダイアログの設定値が変更されると、オートズームの設定値も変更される。ただし、オートズームの「切」についてはメニュー画面でのみ選択可能である。
【００９１】
Ｓ５０５では、システム制御部２０１は、顔ＡＦにより顔検出がされたか判定し、検出された場合はＳ５０６へ進み、検出されない場合はＳ５２５へ進む。
【００９２】
Ｓ５０６では、システム制御部２０１は、Ｓ５０５での顔検出結果に基づいて、ライブビュー画像から検出された顔の位置に追尾枠を表示するように表示部１０１を制御する。
【００９３】
図９（ｄ）はＦＡオートモード処理中における顔追尾状態でのライブビュー画面を例示している。図９（ｄ）において、表示部１０１には、ライブビュー９３２に重畳して、ＯＳＤ（表示アイテム）として、ＦＡオートモード処理中であることを示すＦＡオートアイコン９３３が表示される。検出された顔には追尾状態であることを識別可能に追尾枠（二重顔枠）９３４が表示され、加えて複数の顔が検出された場合には、所定のボタンを押下することで追尾枠９３４を表示する対象の顔を切り替え（顔セレクト操作）可能であることを示す旨のガイダンス９３１が表示される。さらに被写体の目標サイズダイアログ９３５が表示される。このダイアログ９３５には、設定された目標サイズだけでなく、これを左右ボタンで変更可能であることを示す左右矢印アイコンも共に表示される。
【００９４】
Ｓ５０７では、システム制御部２０１は、所定の操作があったか判定し、所定の操作が行われた場合はＳ５０８へ進み、そうでない場合はＳ５０９へ進む。所定の操作には、少なくとも顔セレクト操作、コントローラホイール１０６の操作、左右ボタンの操作、ＦＡボタン１０４ａの長押し操作、録画開始ボタンの操作、シャッターボタン１０２の半押し操作、メニューボタンの押下が含まれるものとする。
【００９５】
Ｓ５０８では、システム制御部２０１は、Ｓ５０７の所定の操作に対応する処理を実行する。所定操作対応処理の詳細については図６にて後述する。なお、所定の操作が短い時間内（例えば１００ｍｓｅｃ）で連続して行われた場合は、オートズームを行わずにＳ５０８の処理を繰り返し行う。
【００９６】
Ｓ５０９では、システム制御部２０１は、操作部１０４に含まれるズームレバー１１２が操作されたか判定し、操作された場合はＳ５２４へ進み、操作されない場合はＳ５１１へ進む。
【００９７】
Ｓ５１０では、システム制御部２０１は、ＦＡオート中手動ズーム処理を行う。ＦＡオート中手動ズーム処理の詳細については図７にて後述する。
【００９８】
Ｓ５１１では、システム制御部２０１は、Ｓ５０５にて検出された被写体のサイズが目標サイズと同じであるか判定し、同じ場合はＳ５１２へ進み、そうでない場合はＳ５１５へ進む。
【００９９】
Ｓ５１２では、システム制御部２０１は、Ｓ５０５にて検出された被写体の顔が、ライブビュー画像の周辺領域に位置するか判定し、周辺領域に位置している場合はＳ５１３へ進み、そうでない場合はＳ５１４へ進む。
【０１００】
Ｓ５１３では、システム制御部２０１は、被写体の顔が周辺領域に位置する場合の予め定められたサイズ（周辺用サイズ）を一時的に目標サイズに設定する。ただし、図９（ｄ）のダイアログ９３５に表示される目標サイズは変更しない。
【０１０１】
Ｓ５１４では、システム制御部２０１は、一時的に周辺用サイズに差し替えていた目標サイズを、本来の設定値（基本サイズ）に戻す。なお、周辺用サイズは基本サイズよりも小さいものとする。このように、検出された顔が画面の周辺領域に移動した場合は、目標サイズが基本サイズより小さい周辺用サイズに変更されることで、撮像される顔が小さくなるように自動的にズームアウトされ、被写体の顔が画角から外れてしまい見失う可能性を低減できる。
【０１０２】
Ｓ５１５では、システム制御部２０１は、被写体の顔が目標サイズとなるように撮影レンズ２０３のオートズームを開始しても、被写体の顔がライブビュー画像からはみ出さないか判定し、はみ出さない場合はＳ５１６へ進み、はみ出す場合はＳ５２４へ進む。
【０１０３】
Ｓ５１６では、システム制御部２０１は、撮影レンズ２０３の自動ズームを開始する。
【０１０４】
Ｓ５１７はＳ５０９と同様であり、ズームレバー１１２の操作がなされた場合はＳ５１８へ進み、そうでない場合はＳ５１９へ進む。
【０１０５】
Ｓ５１８では、システム制御部２０１は、撮影レンズ２０３のオートズームを中断する。
【０１０６】
Ｓ５１９はＳ５０７と同様であり、所定の操作が行われた場合はＳ５２２へ進み、そうでない場合はＳ５２０へ進む。
【０１０７】
Ｓ５２０では、システム制御部２０１は、撮影レンズ２０３をズーム動作させた結果、被写体の顔が目標サイズと同じになったか判定し、同じ場合はＳ５２１へ進み、そうでない場合はＳ５１７へ戻る。
【０１０８】
Ｓ５２１では、システム制御部２０１は、撮影レンズ２０３のオートズームを停止する。
【０１０９】
Ｓ５２２、Ｓ５２３は、Ｓ５１８、Ｓ５０８と同様である。
【０１１０】
Ｓ５２４では、システム制御部２０１は、ＦＡボタン１０４ａが短押しされたか（ボタンが押されてから離されるまでの経過時間が所定時間未満であるか）を判定する。判定の結果、ＦＡボタン１０４ａの短い押下が行われた場合には、本処理を終了して、図３のＳ３０２へ進み、短い押下が行われない場合にはＳ５０５へ戻る。
【０１１１】
なお、Ｓ５０５で顔検出されず、Ｓ５２５に進んだ場合、システム制御部２０１は、サーチアシストが「入」か判定し、「入」である場合にはＳ５２６へ進み、そうでない場合はＳ５０７へ進む。
【０１１２】
Ｓ５２６では、システム制御部２０１は、振動検知部２１７により検知された振動に基づき、デジタルカメラ１００が動かされたか判定し、動きがあった場合はＳ５２７へ進み、そうでない場合はＳ５０７へ進む。なお、カメラが「動かされた」とは、ユーザが被写体を見失ったときに、デジタルカメラ１００を素早く動かして被写体を再度見つけようとする動きを想定している。
【０１１３】
Ｓ５２７では、システム制御部２０１は、サーチアシスト処理を行う。サーチアシスト処理の詳細については図８にて後述する。サーチアシスト処理が終了するとＳ５０５へ戻る。
【０１１４】
Ｓ５２８はＳ５０５と同様であり、顔が検出された場合はＳ５２９へ進み、検出されない場合はＳ５３０へ進む。
【０１１５】
Ｓ５２９では、システム制御部２０１は、表示部１０１に表示されているライブビュー画像における、検出された顔の位置に顔枠を表示する。
【０１１６】
図９（ｅ）はオートズームが「切」に設定されたＦＡオートモード処理中でのライブビュー画面を例示している。図９（ｅ）において、表示部１０１には、ライブビュー画像に重畳して、ＯＳＤ（表示アイテム）として、ＦＡオートモード処理中であることを示すＦＡオートアイコン９３３が表示される。前述の顔ＡＦによって被写体が検知された場合には、図９（ａ）と同様に被写体９０４の顔の周囲に一重顔枠９０３が表示される。なお、目標サイズダイアログ９３５は表示されない。すなわち、オートズームの設定値が「切」であった場合に、オートズームの設定値を「入」にするためには一度メニュー画面を開かなければならない。
【０１１７】
＜所定操作対応処理＞次に、図６を参照して、図５のＳ５０８、Ｓ５２３における所定操作対応処理について説明する。
【０１１８】
Ｓ６０１はＳ５０３と同様であり、オートズームが「切」以外であればＳ６０２へ進み、そうでない場合はＳ６０７へ進む。
【０１１９】
Ｓ６０２では、システム制御部２０１は、操作部１０４に含まれる顔セレクトボタンが操作されたか判定し、操作された場合はＳ６０３へ進み、操作されない場合はＳ６０５へ進む。
【０１２０】
Ｓ６０３では、システム制御部２０１は、２人以上の顔を検出したか判定し、検出された場合はＳ６０４へ進み、検出されない場合は本処理を終了する。
【０１２１】
Ｓ６０４では、システム制御部２０１は、追尾する顔を切り替える。
【０１２２】
Ｓ６０５では、システム制御部２０１は、コントローラホイール１０６または左右ボタンが操作されたか判定し、操作された場合はＳ６０６へ進み、操作されない場合はＳ６０７へ進む。
【０１２３】
Ｓ６０６では、システム制御部２０１は、Ｓ６０５の操作に基づき、被写体の目標サイズを変更する。これにより目標サイズダイアログ９３５の表示も、変更された目標サイズを示すように更新される。
【０１２４】
Ｓ６０７は図３のＳ３０９と同様であり、ＦＡボタン１０４ａが長押しされている場合は図３のＳ３１０へ進み、そうでない場合はＳ６０８へ進む。
【０１２５】
Ｓ６０８は図３のＳ３１２と同様であり、録画開始ボタンが押下された場合にはＳ６０９へ進み、そうでない場合にはＳ６１０へ進む。
【０１２６】
Ｓ６０９は図３のＳ３１３と同様である。
【０１２７】
Ｓ６１０からＳ６１４は、図３のＳ３１４からＳ３１８と同様である。
【０１２８】
Ｓ６１５では、システム制御部２０１は、その他の操作に応じた処理を行う。その他の操作として、例えば、メニューボタンの押下によって所定操作対応処理とＦＡオートモード処理を終了し、図４のメニュー画面処理を行う。また、操作部１０４に含まれる強制ＩＳボタンの押下によって所定操作対応処理とＦＡオートモード処理を終了し、強制ＩＳ処理を行う。強制ＩＳとは、ボタン押下中に通常よりも強く手ブレ補正を効かせる機能であり、特に望遠での撮影時に有用である。強制ＩＳ機能は、主にユーザが構図を決め、撮影を行う段階で押すことを想定している。そのため、強制ＩＳ処理中は、オートズームが行われないよう、強制ＩＳボタンを押下した時点でＦＡオートモード処理を終了している（すなわち図３のＳ３０２へ進む）。
【０１２９】
また、所定時間経過するとディスプレイオフする機能や時計画面表示操作など、表示部１０１にライブビュー画像が表示されなくなる機能が実行されると、所定操作対応処理とＦＡオートモード処理を終了させる。ライブビュー映像が表示されていない状態でもＦＡオートモード処理を実行していると、ユーザが意図しないタイミングで急にズームが動く場合があるからである。
【０１３０】
＜ＦＡオート中手動ズーム処理＞次に、図７を参照して、図５のＳ５１０におけるＦＡオート中手動ズーム処理について説明する。
【０１３１】
Ｓ７０１では、システム制御部２０１は、タイマーのカウントを開始する。
【０１３２】
Ｓ７０２では、システム制御部２０１は、ズームレバー１１２の操作に応じて撮影レンズ２０３をズーミングさせる。
【０１３３】
Ｓ７０３では、システム制御部２０１は、タイマーが所定時間のカウントを終了したか判定し、所定の時間が経過していた場合は本処理を終了し、経過していない場合はＳ７０４へ進む。
【０１３４】
Ｓ７０４は図５のＳ５０３と同様であり、オートズームが「切」以外の場合はＳ７０５へ進み、そうでない場合はＳ７１０へ進む。
【０１３５】
Ｓ７０５からＳ７０９は、図６のＳ６０２からＳ６０６と同様である。
【０１３６】
Ｓ７１０、Ｓ７１１は図６のＳ６０８、Ｓ６０９と同様である。ただし、Ｓ７１１において、システム制御部２０１は、動画記録を開始すると共に、Ｓ７０１でカウントを開始したタイマーが所定時間に達するのを待ってから、目標サイズへのオートズームを開始する。
【０１３７】
Ｓ７１２は図３のＳ３０６と同様であり、短押しされた場合は本処理を終了し、図３のＳ３０２へ進む。
【０１３８】
Ｓ７１３は図３のＳ３０９と同様であり、長押しされている場合は図３のＳ３１０へ進み、そうでない場合はＳ７１４へ進む。
【０１３９】
Ｓ７１４からＳ７１８は、図３のＳ３１４からＳ３１８と同様である。
【０１４０】
Ｓ７１９では、システム制御部２０１は、Ｓ７０１でカウントを開始したタイマーをリセットし、再びカウントを開始する。
【０１４１】
Ｓ７２０は図５のＳ５０９と同様であり、ズーム操作なされた場合はＳ７２１へ進み、操作されない場合はＳ７０３へ進む。
【０１４２】
Ｓ７２１、Ｓ２７２２は、Ｓ７１９、Ｓ７０２と同様である。
【０１４３】
＜サーチアシスト処理＞次に、図８を参照して、図５のＳ５２７、Ｓ５３１におけるサーチアシスト処理について説明する。
【０１４４】
サーチアシストとは、システム制御部２０１が、ユーザが被写体を見失ったときに、デジタルカメラ１００を素早く動かして被写体を再度見つけようとする動きを検知し、自動でズームアウトを行う機能であり、一定時間経過すると元の倍率にズームインを行う。
【０１４５】
Ｓ８０１では、システム制御部２０１は、撮影レンズ２０３をズームアウトさせる。
【０１４６】
Ｓ８０２では、システム制御部２０１は、特定の操作がなされたか判定し、特定の操作がなされた場合はＳ８０３へ進み、そうでない場合はＳ８０４へ進む。特定の操作とは、後述するＳ８１２、Ｓ８１４、Ｓ８１７、Ｓ８１９、Ｓ８２０、Ｓ８２１で判定している操作である。
【０１４７】
Ｓ８０３では、システム制御部２０１は、撮影レンズ２０３のズームアウトを中断する。
【０１４８】
Ｓ８０４では、システム制御部２０１は、撮影レンズ２０３を所定量ズームアウトさせたか判定し、ズームアウトした場合はＳ８０５へ進み、そうでない場合はＳ８０１へ進む。
【０１４９】
Ｓ８０５では、システム制御部２０１は、撮影レンズ２０３のズームアウトを停止し、タイマーのカウントを開始する。
【０１５０】
Ｓ８０６はＳ８０２と同様であり、特定の操作がなされた場合はＳ８１２へ進み、そうでない場合はＳ８０７へ進む。
【０１５１】
Ｓ８０７は図７のＳ７０３と同様であり、所定時間が経過した場合はＳ８０８へ進み、そうでない場合はＳ８０６へ進む。
【０１５２】
Ｓ８０８では、システム制御部２０１は、撮影レンズ２０３をズームインさせる。
【０１５３】
Ｓ８０９はＳ８０２と同様であり、特定の操作がなされた場合はＳ８１０へ進み、そうでない場合はＳ８１１へ進む。
【０１５４】
Ｓ８１０では、システム制御部２０１は、撮影レンズ２０３のズームインを中断する。
【０１５５】
Ｓ８１１では、システム制御部２０１は、撮影レンズ２０３を所定量ズームインさせたか判定し、ズームインした場合は本処理を終了し、そうでない場合はＳ８０８へ進む。
【０１５６】
Ｓ８１２は図５のＳ５０９と同様であり、操作がなされた場合はＳ８１３へ進み、そうでない場合はＳ８１４へ進む。
【０１５７】
Ｓ８１３はＳ７０２と同様である。
【０１５８】
Ｓ８１４からＳ８１６は、それぞれ図６のＳ６０１、Ｓ６０５、Ｓ６０６と同様である。
【０１５９】
Ｓ８１７とＳ８１８は、図６のＳ６０８、Ｓ６０９と同様である。
【０１６０】
Ｓ８１９は図３のＳ３０６と同様であり、短押しされた場合は本処理を終了し、図３のＳ３０２へ進む。
【０１６１】
Ｓ８２０は図３のＳ３０９と同様であり、ＦＡボタン１０４ａが長押しされている場合には図３のＳ３１０へ進み、そうでない場合にはＳ８２１へ進む。
【０１６２】
Ｓ８２１からＳ８２５は、図３のＳ３１４からＳ３１８と同様である。
【０１６３】
Ｓ８２６では、システム制御部２０１は、その他の操作に応じた処理を行う。例えばメニューボタンの押下によってサーチアシスト処理とＦＡオートモード処理を終了し、メニュー画面処理を行う。また、操作部１０４に含まれる強制ＩＳボタンが押下された場合には、サーチアシスト処理とＦＡオートモード処理を終了し、強制ＩＳ処理を行う。また、所定時間経過するとディスプレイオフするスリープ機能や時計表示操作など、表示部１０１にライブビュー画像が表示されなくなる機能が実行されると、サーチアシスト処理とＦＡオートモード処理を終了する。
【０１６４】
Ｓ３１３、Ｓ６０９、Ｓ７１１の動画記録中にも、ＦＡオートモード処理を行えるものとする。ただし、顔セレクトと目標サイズの変更は行えないものとする。
【０１６５】
図９（ｆ）は動画記録中にオートズーム「切」以外の設定でＦＡオートモード処理を開始した場合の表示画面を例示している。図９（ｆ）において、表示部１０１には、ライブビュー画像に重畳して、ＯＳＤ（表示アイテム）として、ＦＡオートモード処理中であることを示すＦＡオートアイコン９３３、動画記録中であることを示す録画アイコン９５１が表示される。検出された顔には追尾状態であることを示す追尾枠９３４が表示される。すなわち、ＦＡオートモード処理におけるオートズーム機能を用いながら、動画記録を行うことが可能である。また、動画記録中は目標サイズの変更は行えないので、目標サイズダイアログ９３５は表示しない。このようにすることで、動画記録中の視認性が低下することを防ぐことができる。
【０１６６】
なお、メニュー画面処理で設定するオートズームの設定値およびＦＡオートモード処理における目標サイズの設定値は、上述した選択肢に限らず、例えば、ライブビュー画像のサイズに対して何％、というように詳細な数値で示したり、大中小などの抽象的な表現としても良い。
【０１６７】
また、動画記録中に行えるＦＡモードに応じた処理に、顔セレクトと目標サイズの変更を含めても良い。
【０１６８】
また、顔セレクト操作はタッチパネルのタッチ操作でも良い。
【０１６９】
また、ＦＡオートモード処理を開始する時点で、図３のＳ３０３で表示部１０１に表示された撮影情報表示の一部を消去しているが、そのまま表示しても良い。
【０１７０】
また、図６の所定操作対応処理（Ｓ６１５）に、情報表示切り替えボタン操作を加えても良い。これによりユーザは好みの情報を表示させて、ＦＡオートモードを使用することが可能となる。
【０１７１】
また、動画記録開始後にＦＡオートモードの開始操作を行った場合は、動画記録開始から所定時間以内は、現在の目標サイズダイアログ９３５の全てまたは一部を表示しても良い。このようにすることで、ユーザは現在の目標サイズを確認することが可能となる。
【０１７２】
また、動画記録中にＦＡオートモード処理を開始すると、即座に被写体を決定しオートズームが開始されるため、場合によっては所望でない動画が記録される可能性がある。そのため、動画記録待機中にＦＡオートモード処理を開始した場合には、被写体検出後すぐにオートズームが開始されるが、動画記録中に開始された場合はすぐにオートズームを開始せずに、顔検出後所定時間が経過した後に開始させても良い。所定時間が経過するまでに、ユーザは顔セレクト操作、目標サイズ変更操作が可能であるため、より所望の動画を記録することが可能となる。あるいは、ＦＡオートモード開始後に、実際に被写体を決定してからオートズームが開始されるようにしても良い。その際の表示は、例えば動画記録中にＦＡオートモード処理を開始すると、最初に検出した被写体に追尾枠９３４を点滅表示し、その後所定時間経過する、あるいは決定ボタンを押下すると、追尾枠９３４の点滅を定常表示に切り替える、等である。
【０１７３】
また、本実施形態にて説明した所定のズーム量、所定の時間について、ユーザが設定を変更できるようなＵＩを用意しても良い。
【０１７４】
また、図４において、メニュー画面処理が終了すると、ＦＡオートモード処理は停止した状態で撮影モード処理に戻るとしているが、一時停止としても良い。つまり、撮影モード処理に戻ると同時に、メニュー画面処理を開始する際の設定値およびメニュー画面処理中に変更された設定値に従い、ＦＡオートモード処理を再開する、もしくは停止することを決定しても良い。このようにすることで、例えばＦＡオートモード処理中にメニュー画面処理に移行し、そこで設定変更した条件ですぐにＦＡオートモード処理を開始したいユーザにとっては、手番の削減に繋がる。さらに、メニュー画面処理の終了時にＦＡオートモード処理を再開するか否かを、ユーザに選択させるようなＵＩを用意しても良い。
【０１７５】
また、図６において、強制ＩＳボタンが押下されるとＦＡオートモード処理を終了する、としているが、強制ＩＳ処理が終了すると、再びＦＡオートモード処理を開始しても良い。これにより、強制ＩＳ処理で画角を定め、一度撮影を行った後に再びＦＡオートモード処理によるオートズームを使用したいユーザにとって、手番削減につながる（すなわち図５のＳ５０１へ進む）。さらに、強制ＩＳ処理の終了時にＦＡオートモード処理を再開するか否かを、ユーザに選択させるようなＵＩを用意しても良い。
【０１７６】
また、ライブビュー非表示時にはＦＡオートモード処理を終了する、としているが、継続しても良い。例えばカメラを三脚固定して放置した状態で動画記録を行う場合に、ＦＡオートモード処理を使用して自動でズームして欲しいが、ディスプレイは見る必要がない、という場合には、ディスプレイオフして省電力化を図ることができる。さらにライブビュー非表示時にＦＡオートモード処理を終了するか否かを、ユーザに選択させるようなＵＩを用意しても良い。
【０１７７】
また、本実施形態では被写体の人数が１人の場合について説明したが、複数人を選択できるようにしても良い。例えばタッチ操作などで複数人の被写体をタッチして選択すると、選択した被写体全てを画角内に収めるようにオートズームを行っても良い。また、例えば目標サイズを「全身」に設定している場合に複数の被写体が選択されると、全員の顔を画角内に収めるだけでなく、できるだけ全員の全身が画角内に収まるようにオートズームを行っても良い。また、複数の被写体が選択されると、被写体の目標サイズの選択肢が変更されるようにしても良い。例えば全員をできるだけアップで撮影するモード、背景も含めて集合写真のように撮影するモード、などである。
【０１７８】
また、ＦＡオートモードは基本的に被写体（顔）が存在するシーンで有効な機能であるため、風景を撮影するモード（例えば、上述した打ち上げ花火撮影モード、夕焼け撮影モードなど）に切り替えた場合は、自動的にオートズームを「切」に設定しても良い。もしくは、サーチアシストも含めて「切」に設定しても良い。
【０１７９】
また、本実施形態では、オートズームおよびサーチアシストのいずれも「切」の場合、ＦＡボタン１０４ａの長押しで所定量ズームアウトを開始しているが、これを短押しに切り替えても良い。この場合、短押しで所定量ズームアウトし、そのままズームインすることなくズームアウト時の画角を保ってサーチアシスト処理を終了しても良い。
【０１８０】
また、オートズームの選択肢には「切」が含まれているが、ライブビュー画像での目標サイズの選択肢には「切」が含まれていない。これはライブビュー画像で目標サイズを「顔」→「上半身」→・・・というように切り替える際に途中で「切」を選択してしまうと、これまでオートズームでフレーミングしていた被写体を見失ってしまう可能性があるからである。しかしながら、サーチアシストが「入」で、オートズームが「切」の場合、一時的にオートズームを「切」以外に変更できるようにすれば、通常はサーチアシストのみ使用し、一時的に顔追尾によるオートズームを使用したいシーンで有効である。そこで、サーチアシストのみ「入」の場合にも、顔セレクト操作を行えるようにし、顔セレクト操作が行われると自動的にオートズームが「切」以外に切り替わるようにしても良い。
【０１８１】
［実施形態２］本発明は、スマートフォンやタブレット、パーソナルコンピュータなどを遠隔制御装置として、デジタルカメラと遠隔制御装置とがネットワークを介して接続されたリモート撮影システムにも適用可能である。
この場合、本実施形態のデジタルカメラ１００には、図２に示す構成のほかに、遠隔制御装置と無線アンテナや有線ケーブルによって通信可能に接続するための通信部が搭載される。通信部は無線ＬＡＮやインターネットにも接続可能であり、撮像部２０５で撮像された画像（ライブビュー画像を含む）や記録媒体１０９に記録された画像ファイルを制御装置に送信でき、また、制御装置からユーザ操作に応じた制御コマンドや設定値などの各種情報を受信できる。
【０１８２】
このように、本実施形態のデジタルカメラを、防犯や子守などのための監視カメラとしてリモート撮影システムに適用した場合、図３に示す撮影モード処理において、動画や静止画の撮影やズーム動作は遠隔制御されるカメラ側で実行し、ライブビュー画像の表示や被写体サイズの指定、その他の操作に応じた処理、図５〜図８の各処理における操作指示や操作対応処理はカメラと通信する遠隔制御装置で行うことなる。
【０１８３】
なお、システム制御部２０１の制御は１つのハードウェアが行ってもよいし、複数のハードウェアが処理を分担することで、装置全体の制御を行っても良い。
【０１８４】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１８５】
また、上述した実施形態においては、本発明をデジタルカメラなどの撮像装置に適用した場合を例に説明したが、本発明はこの例に限定されず、ズームを制御する機能を有する撮像装置であれば適用可能である。すなわち、本発明は、タブレット、携帯電話やその一種であるスマートフォン、ＰＤＡ、携帯型の画像ビューワ、ゲーム機、電子ブックなどに適用可能である。
【０１８６】
また、本発明は、以下の処理を実行することによっても実現される。即ち上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【０１８７】
１００…デジタルカメラ、１０１…表示部、１０４ａ…ＦＡボタン、２０１…システム制御部、２０３ａ…レンズ駆動部、２０５…撮像部、２０７…画像処理部
【図１】
0006327995.tif 000002
【図２】
0006327995.tif 000003
【図３】
0006327995.tif 000004
【図４】
0006327995.tif 000005
【図５】
0006327995.tif 000006
【図６】
0006327995.tif 000007
【図７】
0006327995.tif 000008
【図８】
0006327995.tif 000009
【図９】
0006327995.tif 000010